(57)【要約】      （修正有）【課題】吹出す温風の温度を均一化することにより、小型で快適な暖房効果を備えた温風機を提供する。【解決手段】吸気口と、吹出口と、吸気口と吹出口を連通する風路と、風路の途中に配置され空気を送風する送風機と、送風機の下流に配置されたヒータユニット２００とを含み、ヒータユニット２００は、複数の発熱素子２１０と、少なくとも１個のダミー素子２２０と、放熱フィン２３０とを備え、発熱素子２１０とダミー素子２２０とは略直線状に非対称配列され、放熱フィン２３０は発熱素子２１０とダミー素子２２０の表面に密着固定された構成とすることにより、ヒータユニットに送給される風量が左右方向で異なる状態において、風量の少ない部分にダミー素子を配列することで、温風吹出口より吹出す温風の温度を均一化することができ、小型で快適な暖房効果を備えた温風機を提供することができる。【選択図】図７
2016109320.tif 000002
【特許請求の範囲】
【請求項１】
本体の外面に開口された吸気口と、
前記本体の外面に開口された吹出口と、
前記吸気口と前記吹出口を連通する風路と、
前記風路の途中に配置され空気を送風する送風機と、
前記風路の前記送風機の下流に配置されたヒータユニットと、を含み、
前記ヒータユニットは、複数の発熱素子と、少なくとも１個のダミー素子と、放熱フィンと、を備え、
前記発熱素子と前記ダミー素子とは略直線状に配列され、
前記放熱フィンは前記発熱素子と前記ダミー素子の表面に固定された構成の、
温風機。
【請求項２】
前記ヒータユニットは、前記発熱素子およびダミー素子を平行な複数の列に分割して配列され、前記ダミー素子は前記列により配置が異なる構成の、
請求項１に記載の温風機。
【請求項３】
前記ヒータユニットは、前記ダミー素子は一部の前記列には配置されていない構成の、
請求項２に記載の温風機。
【請求項４】
前記送風機は、前記ヒータユニットの側方に配置され、
前記送風機の吹出方向は、前記ヒータユニットの前記発熱素子と前記ダミー素子の配列方向と略平行な構成である、
請求項１〜３のいずれか１項に記載の温風機。
【発明の詳細な説明】
【技術分野】
【０００１】
本発明はＰＴＣ素子を発熱体として使用した温風機に関するものである。
【背景技術】
【０００２】
従来、この種の温風機はＰＴＣ素子の両面に放熱フィンを設置したＰＴＣヒータを上下に２個積層した構成とし、上側のＰＴＣヒータの放熱フィンと下側のＰＴＣヒータの放熱フィンのピッチを異ならせることにより、それぞれのＰＴＣを通過する風量に差がつくことにより、２個のＰＴＣヒータの放熱能力を異なるものとすることが可能となるとともに、２個のＰＴＣヒータを個別に通電制御することにより、温風機の暖房能力を３段階に切換可能な構成としている（例えば、特許文献１参照）。
【０００３】
図８は、特許文献１に記載された従来の温風機に使用されたヒータユニットを示すものである。図８に示すように、上側のＰＴＣヒータ１はＰＴＣ素子２の上下にピッチの狭い放熱フィン３が接合されている。また下側のＰＴＣヒータ４はＰＴＣ素子２の上下にピッチの広い放熱フィン５が接合されている。放熱フィン３、５のＰＴＣ素子２の反対側には、ＰＴＣ素子に放熱フィン３、５を介して通電を行う電極６が接合されている。
【先行技術文献】
【特許文献】
【０００４】
【特許文献１】特開平０５−１５７３５７号公報
【発明の概要】
【発明が解決しようとする課題】
【０００５】
前記従来の構成では、上側のＰＴＣヒータと下側のＰＴＣヒータとの放熱能力に差をつけることは可能であり、また、上側と下側の送風量に差がある場合にも適切に対応可能な構成である。しかしながら、例えば、送風機の設置位置または風路の構成によりヒータユニットの左右方向の送風量に差が生じる場合には対応することができず、吹出す温風の温度が左右方向でバラツキが発生することがあり、温風機の快適性と使い勝手という観点からは未だ改善の余地があった。
【０００６】
本発明は、上記従来技術の有する課題に鑑みてなされたものであり、ヒータユニットに送給される左右方向の送風量に差がある場合においても、吹出口から吹出す温風の温度を均一化することにより快適性と使い勝手の良い温風機を提供することを目的とする。
【課題を解決するための手段】
【０００７】
前記従来の課題を解決するために、本発明の温風機は、本体の外面に開口された吸気口と、本体の外面に開口された吹出口と、吸気口と吹出口を連通する風路と、風路の途中に配置され空気を送風する送風機と、風路の送風機の下流に配置されたヒータユニットと、を含み、ヒータユニットは、複数の発熱素子と、発熱素子と略同形状の少なくとも１個のダミー素子と、放熱フィンと、を備え、発熱素子とダミー素子とは略直線状に非対称配列され、放熱フィンは発熱素子とダミー素子の表面に密着固定された構成である。
【０００８】
これにより、ヒータユニットに送給される風量が左右方向で異なる状態において、風量の少ない部分にダミー素子を配列することで、温風吹出口より吹出す温風の温度を均一化することができ、小型で快適な暖房効果を備えた温風機を提供することができる。
【発明の効果】
【０００９】
本発明の温風機は、小型で快適な暖房効果を提供することができる。
【図面の簡単な説明】
【００１０】
【図１】本発明の実施の形態１における温風機の横置き使用状態を示す斜視図
【図２】本発明の実施の形態１における温風機の縦置き使用状態を示す斜視図
【図３】本発明の実施の形態１における温風機の内部を示す斜視図
【図４】本発明の実施の形態１における温風機の風路を示す斜視図
【図５】本発明の実施の形態１における温風機の横断面図
【図６】本発明の実施の形態１における温風機の縦断面図
【図７】本発明の実施の形態１における温風機のヒータユニットの上面図
【図８】従来の温風機のヒータユニットの斜視図
【発明を実施するための形態】
【００１１】
第１の発明は、本体の外面に開口された吸気口と、前記本体の外面に開口された吹出口と、前記吸気口と前記吹出口を連通する風路と、前記風路の途中に配置され空気を送風する送風機と、前記風路の前記送風機の下流に配置されたヒータユニットと、を含み、前記ヒータユニットは、複数の発熱素子と、前記発熱素子と略同形状の少なくとも１個のダミー素子と、放熱フィンと、を備え、前記発熱素子と前記ダミー素子とは略直線状に非対称配列され、前記放熱フィンは前記発熱素子と前記ダミー素子の表面に密着固定された構成の  温風機である。
【００１２】
これにより、ヒータユニットに送給される風量が左右方向で異なる状態において、風量の少ない部分にダミー素子を配列することで、温風吹出口より吹出す温風の温度を均一化することができ、快適な暖房効果を提供することができる。
【００１３】
第２の発明は、特に第１の発明において、前記ヒータユニットは、前記発熱素子およびダミー素子を平行な複数の列に分割して配列され、前記ダミー素子は前記列により配置が異なる構成である。
【００１４】
これにより、ヒータユニットの列ごとに通電を切替えることにより温風の温度を調整することが可能となるとともに、前後方向の風量のバラツキにも対応することが可能となる。
【００１５】
第３の発明は、特に第２の発明において、前記ヒータユニットは、前記ダミー素子は一部の前記列には配置されていない構成である。
【００１６】
これにより、ダミー素子を配置した部分の極端な温度低下を抑制することが可能となり、より快適な暖房効果を提供することができる。
【００１７】
第４の発明は、第１から第３のいずれか１つの発明において、前記送風機は、前記ヒータユニットの側方に配置され、前記送風機の吹出方向は、前記ヒータユニットの前記発熱素子と前記ダミー素子の配列方向と略平行な構成である。
【００１８】
これにより、送風機をヒータユニットと横方向に並べて配置することが可能となり、特に温風全体に温度のバラツキが発生する場合があったとしても、温風機の奥行寸法を短くすることが可能となり、小型で使い勝手の良い温風機を提供することができる。
【００１９】
以下、本発明の実施の形態について、図面を参照しながら説明する。なお、この実施の形態によって本発明が限定されるものではない。
【００２０】
（実施の形態１）
＜１＞温風機の構成
図１は実施の形態１における温風機の横置き使用状態を示す斜視図であり、図２は温風機の縦置き使用状態を示す斜視図であり、図３は前面パネルと制御基板を取り外した状態の温風機の内部を示す斜視図であり、図４は温風機の風路の主要部分を示す斜視図であり、図５は温風機の横断面図であり、図６は温風機に縦断面図である。
【００２１】
図１、図２に示すように、本実施の形態の温風機１００の本体１１０の外形は略直方体に形成されており、図１に示すように本体１１０を横に倒した状態で使用する横置き使用と、図２に示すように本体１１０を立てて使用する縦置き使用の２つの使用形態を任意に選択できる特徴を備えている。
【００２２】
なお、本実施の形態においては図１に示す温風機１００の横置き状態を基本とし、本体の前面側を前方とし、背面側を後方とし、前方から後方に向かって右側を右方、後方から前方に向かって左側を左方として各構成要素の配置を説明する。
【００２３】
本体１１０の外郭は樹脂材料で成型された略箱状の本体ケース１１１と、樹脂材料で成型された略板状の前面パネル１１２で構成されている。前面パネル１１２の上部には操作部１２０が、中央部には吹出口１４０が設けられている。吹出口１４０は温風を吹出す温風吹出口１４１と帯電微粒子水を吹出す静電霧化吹出口１４２を備えている。
【００２４】
本体ケース１１１の背面には吸気口１３０が配置されており、図６に示すように、吸気口１３０の内部にはフィルタ１３１が着脱自在に設置されている。また本体ケース１１１の背面には電源コード１３２が接続されている。
【００２５】
図１、図２に示すように、操作部１２０には、温風機１００の電源の「入」、「切」の操作を行う電源スイッチ１２１と、温風の温度と強さ切替える温風スイッチ１２２と、温風運転を所定時間後に終了する切タイマースイッチ１２３と、温風機１００の近くにいる人体を検知する人体センサ１２４と、人体センサが人体を検知しなくなった時に所定時間後に運転を自動的に停止する節電機能の駆動を切替える人体センサスイッチ１２５と、帯電微粒子水を生成する静電霧化機能の駆動を切替える静電霧化スイッチ１２６が配置されている。
【００２６】
また、操作部１２０には上記の各種スイッチの操作状態を表示する複数の表示ランプ１２７が設置されている。
【００２７】
電源スイッチ１２１は、１回押動することにより、「入」、「切」が切替わる構成となっている。
【００２８】
温風スイッチ１２２は、１回押動するごとに「弱」、「中」、「強」、「弱」の順に温風の温度を切替えることができる。なお、本実施の形態においては、「高」と「中」の運転時においては送風機１７０の送風容量は一定とし、温風の温度のみを低下させる構成とし、「弱」の運転時には送風機１７０の送風容量も低下させることにより、温風の温度と風量を低下させる構成となっている。
【００２９】
切タイマースイッチ１２３は、表示ランプ１２７が消灯中は「連続通電」の状態であり、切タイマースイッチ１２３を押動するごとに、「１時間後に停止」、「２時間後に停止し」、「３時間後に停止」、「連続通電」に切り替えることができる。
【００３０】
人体センサスイッチ１２５は、１回押動することにより、「入」、「切」が切替わり、
「入」に設定された場合、温風機１００の前方の約２ｍの範囲にいる人を人体センサ１２４が検知している間は運転を継続し、人体センサ１２４が人を検知しなくなって約３分後に運転を停止し、再び人体センサ１２４が人を検知した場合には運転を再開することにより、節電効果を得ることができる。
【００３１】
静電霧化スイッチ１２６は、１回押動することにより、「入」、「切」が切替わり、「入」に設定された場合、温風機１００の運転中は、静電霧化機能が駆動され、静電霧化吹出口１４２よりナノメートルサイズの帯電微粒子水が噴出され、脱臭と除菌および殺菌の効果を発揮することができる。
【００３２】
温風機１００の基本的な構成である、吸気口１３０から吹出口１４０まで連通する風路１５０は、吸気口１３０から送風機１７０までの吸気風路１５１と、送風機１７０からヒータユニット２００までの送風風路１５２と、ヒータユニット２００から温風吹出口までの温風風路１５３と、送風風路１５２の途中から分岐して静電霧化吹出口１４２までの静電霧化風路１５４で構成されている。
【００３３】
送風機１７０はシロッコタイプのファン１７１を使用し、交流モータ１７２で駆動される。送風機１７０は本体ケース１１１の背面左側に設置されており、吸気風路１５１を通過した外気を送風機１７０の前面に設けられた送風吸気口１７４から吸気して送風機１７０の右側に配置された送風風路１５２向かって送風する構成となっている。
【００３４】
図４、図６に示すように、送風機１７０の下流となる送風風路１５２の下方にヒータユニット２００が配置されている。ヒータユニット２００は全体に通電する「強」運転時は約１２００Ｗの容量であるが、全体を２分割した構成であり、その半分にのみに通電することで「中」運転時は約７７０Ｗ、「弱」運転時は約５５０Ｗの容量で加熱することができる。ヒータユニットの詳細な構成は後述する。
【００３５】
図３、図６に示すように、吸気風路１５１は本体ケース１１１の背面に設けた吸気口１３０から送風機１７０の前面板１７３に開口した送風吸気口１７４までの経路を、本体ケース１１１内の限定しない開放空間で形成されている。
【００３６】
送風風路１５２と、温風風路１５３と、静電霧化風路１５４とは、図３、図４に示すように本体ケース１１１に一体に成型されたダクト部１１１ｂと、第一ダクト部材１６１と、第二ダクト部材１６２と、第三ダクト部材１６３により形成されている。
【００３７】
図４に示すように、本体ケース１１１の背面には、送風機１７０の外周ケーシング１１１ａと、送風風路１５２の右側の終端部の外郭の一部を形成するダクト部１１１ｂと、外周ケーシング１１１ａとダクト部１１１ｂとの中間に設置され、送風機１７０から送給された空気の一部を下方に向きを変える風向変更片１１１ｃが形成されている。
【００３８】
図４、図６に示すように、第一ダクト部材１６１は主に温風風路１５３を形成しており、上方から送給された温風を前方に向きを変えるように背面と下辺との接合部は湾曲させて形成されている。また、第一ダクト部材１６１の上端部にはヒータユニット２００を支持するヒータユニット支持部１６１ａが形成されている。
【００３９】
図３、図６に示すように、第二ダクト部材１６２は送風風路１５２とヒータユニット支持部１６１ａの前面を閉塞する前面パネル部１６２ａと、温風風路１５３の終端部を構成する吹出ダクト部１６２ｂを備えている。図６に示すように吹出ダクト部１６２ｂは前面パネル１１２に形成された温風吹出口１４１に接続されている。また、送風風路１５２を形成する前面パネル部１６２ａの裏面には、本体ケース１１１に形成された風向変更片１
１１ｃに対応する位置に、同様な機能を発揮するダクト風向変更片１６２ｃが一体に成型されている。
【００４０】
上記構成の吸気風路１５１、送風風路１５２、温風風路１５３において、送風機１７０が駆動された場合の空気の流通状態について以下に説明する。
【００４１】
吸気口１３０から吸引された空気は、本体ケース１１１内の解放空間である吸気風路１５１を通過して送風機１７０の送風吸気口１７４から送風機１７０内に吸引され、送風機１７０のファン１７１により送風風路１５２へと送給される。
【００４２】
送風風路１５２へ送給された空気は、全体としては送風風路１５２の右端まで流れようとし、送風風路１５２の右端の近傍で矢印Ａに示すように下向きに方向を変える。そのため送風風路１５２の下側に配置されてヒータユニット２００には右側に多くの風量が送給され、左側は少ない風量となる。
【００４３】
このアンバランスを補正するために、本体ケース１１１の背面に形成された風向変更片１１１ｃと第二ダクト部材１６２に形成されたダクト風向変更片１６２ｃにより、矢印Ｂで示すように、送風風路１５２の上流部である左側で風向きを下方に向きを変えることにより風量のバラツキを低減す構成となっている。
【００４４】
ヒータユニット２００に送給された空気は、基本的に左側は風量が少なく、右側は風量が多くなっている。
【００４５】
ヒータユニット２００を通過して温風風路１５３に送給された温風は、矢印Ｃで示すように、下向きから前向きに向きを変えて最終的に温風吹出口１４１から前方に向かって吹出す。このように風向きを変更させた場合、内側より外側の風速が早くなり、風量が増加する。すなわち、ヒータユニット２００の前側の風量が少なく、後側の風量が多くなる。すなわち、ヒータユニット２００の右側後方の部分に送給される風量が最も多くなり、左側前方の部分に送給される風量が最も少なくなる構成となっている。
【００４６】
図３に示すように、第三ダクト部材１６３は、第二ダクト部材１６２の前面パネル部１６２ａに形成された開口（図示せず）に接続され、静電霧化吹出口１４２まで連通された静電霧化風路１５４を形成し、内部に静電霧化ユニット（図示せず）を内蔵している。送風機１７０から送風された少量（約５％）の風量が常時静電霧化風路１５４に供給される構成となっている。
【００４７】
静電霧化ユニットは、送風機１７０で送風された空気中の水分を結露させて水を生成する結露水生成部と、生成された水に電圧を印加する霧化電極と、霧化電極に対向して設けられた対向電極とで構成されている。
【００４８】
結露水生成部は、冷却基板と放熱基板とを有するペルチェ素子を主構成部材とし、ペルチェ素子の冷却基板には尖鋭形状の霧化電極が設置されており、ペルチェ素子の冷却基板に結露した水が霧化電極に搬送される構成となっている。
【００４９】
尖鋭形状の霧化電極と対向する位置に、霧化電極を包囲するように略ドーム状の対向電極が配置されており、霧化電極と対向電極の間に約３５００Ｖの直流電流が印加することにより、霧化電極に搬送された結露水にレイリー分裂を生じさせ、ナノメートルサイズの帯電微粒子水が発生する。
【００５０】
すなわち、静電霧化ユニットを通過後の空気は、ナノメートルサイズの帯電微粒子水が
含まれたものであり、静電霧化吹出口１４２から帯電微粒子水が放出される。ナノメータサイズの帯電微粒子水は、アンモニア、アセトアルデヒド、酢酸、メタン、一酸化炭素、一酸化窒素、ホルムアルデヒド等の臭気成分の分解除去と各種菌類への殺菌効果を備えており、室内に浮遊および壁面や床面に付着した臭気成分や菌類に対して脱臭と除菌および殺菌の効果を発揮することができる。
【００５１】
図５、図６に示すように、第二ダクト部材１６２の前面パネル部１６２ａの前方には、温風機１００の各機能を制御する制御基板１８０が設置されている。本実施の形態の特徴的な制御機能としては、制御基板１８０には温風機１００の設置姿勢を検知する姿勢検知センサを備えていることである。
【００５２】
姿勢検知センサは横置き使用状態を検知する横姿勢検知センサ１８１と、縦置き使用状態を検知する縦姿勢検知センサ１８２の２個のセンサが設置されている。
【００５３】
図１および図２に示すように、温風機１００が正規の横置き使用状態または横置き使用状態で使用されているときは、横姿勢検知センサ１８１または縦姿勢検知センサ１８２が感知することにより、温風機１００の操作が可能であり、温風機１００は正常に駆動される。
【００５４】
また、横姿勢検知センサ１８１または縦姿勢検知センサ１８２が感知することができない場合は正規の状態に設置されておらないものと判定し、短時間に横姿勢検知センサ１８１と縦姿勢検知センサ１８２が切替る場合は、温風機１００を移動中と判定することにより、温風機１００の駆動を停止することにより、安全性を向上する機能を備えている。
【００５５】
＜２＞ヒータユニットの構成
図７はヒータユニットの上面図を示すものである。
【００５６】
ヒータユニット２００は、略長方形の板状のＰＴＣ素子２１０と、ＰＴＣ素子２１０と同一形状で発熱機能を備えていないダミー素子２２０と、ＰＴＣ素子２１０で発熱した熱を空気中に放散するためにアルミニウムの板材を略Ｕ字形に繰り返し折り曲げて形成した放熱フィン２３０と、放熱フィン２３０を介してＰＴＣ素子２１０に電力を供給する電極２４０を主構成部材としている。
【００５７】
ＰＴＣ素子２１０はセラミック製の発熱素子であり、通電を行うと急激に電気抵抗が増大することにより、電流を流し続けると自己発熱によって電流が流れにくくなり、一定の温度を保つようになる特性を備えた素子である。
【００５８】
図７に示すように、ヒータユニット２００は前方の第一ヒータブロック２０１と後方の第二ヒータブロック２０２が一体で構成されている。
【００５９】
第一ヒータブロック２０１は、中央に左側からダミー素子２２０、ＰＴＣ素子２１０、ダミー素子２２０、３個のＰＴＣ素子２１０の順に６個の素子が配置されている。６個の素子の前後には放熱フィン２３０が導電性接着剤を介して接着されている。前方の放熱フィンの前面には銅合金製の第一電極２４１が導電性接着剤を介して接着されており、後方の放熱フィンの後面には同様に銅合金製の第二電極２４２が導電性接着剤を介して接着されている。
【００６０】
第二ヒータブロック２０２は、中央に６個のＰＴＣ素子２１０が配置されており、６個のＰＴＣ素子２１０の前後には放熱フィン２３０が導電性接着剤を介して接着されている。前方の放熱フィンの前面には第一ヒータブロック２０１の第二電極２４２を共用して導
電性接着剤を介して接着されており、後方の放熱フィンの後面には第三電極２４３が導電性接着剤を介して接着されている。
【００６１】
上記構成のヒータユニット２００は、第二電極２４２を共通電極として、第一電極２４１と第三電極２４３に通電することにより、第一ヒータブロック２０１と第二ヒータブロック２０２を同時に駆動することができる。また、第一電極２４１と第三電極２４３に選択的に通電することにより、第一ヒータブロック２０１と第二ヒータブロック２０２とを選択的に個別に駆動することができる。
【００６２】
第一ヒータブロック２０１の左側は２個のダミー素子２２０を設置したことにより他の部分より発熱量が少ない。そのため、全体的に均等な風量の送風を行った場合、第一ヒータブロック２０１の左側から吹出される温風の温度は他の部分より低くなり、温風全体に温度のバラツキが発生する。一方、送風される風量にバラツキがあり、特に左側の風量が少ない場合は、左側の温風の温度は他の部分の温度と近似のものとなり、吹出される温風全体の温度は均一化された状態となる。
【００６３】
本実施の形態で採用しているヒータユニット２００は、送風量が場所によってバラツキがあるため、ヒータユニット２００の発熱量を場所に異なる容量にすることにより、吹出す温風の温度を全体的に均一化された状態にすることができるものである。
【００６４】
また、ヒータユニット２００の第一ヒータブロック２０１と第二ヒータブロック２０２の両方に通電した場合には約１２００Ｗの発熱容量となり、第二ヒータブロック２０２にのみ通電した場合には約７７０Ｗの発熱容量となり、第一ヒータブロック２０１にのみ通電した場合には約５５０Ｗの発熱容量となり、各ヒータブロックへの通電を切替えることにより発熱量を切替えることができる。
【００６５】
なお、本実施の形態における温風機１００では、温風の温度を切替える温風スイッチ１２２の操作により、「強」と「中」が選択された運転時においては送風機１７０の送風容量は一定とし、「弱」の運転時には送風機１７０の送風容量を低下させる構成となっている。
【００６６】
上記のように、本実施の形態における温風機は、温風機全体を小型化する目的で、送風機をヒータユニットの側方に配置する構成を採用した場合、ヒータユニットに送給される風量が左右方向で異なる状態が発生する場合においても、風量の少ない部分にダミー素子を配列することで、温風吹出口より吹出す温風の温度を均一化することができ、快適な暖房効果を提供することができる。
【００６７】
すなわち、吸気口１３０と、吹出口１４０と、吸気口１３０と吹出口１４０を連通する風路１５０と、風路１５０の途中に配置され空気を送風する送風機１７０と、送風機１７０の下流に配置されたヒータユニット２００とを含み、ヒータユニット２００は、複数の発熱素子２１０と、発熱素子２１０と略同形状の少なくとも１個のダミー素子２２０と、放熱フィン２３０とを備え、発熱素子２１０とダミー素子２２０とは略直線状に非対称配列され、放熱フィン２３０は発熱素子２１０とダミー素子２２０の表面に密着固定された構成とすることにより、ヒータユニットに送給される風量が左右方向で異なる状態において、風量の少ない部分にダミー素子を配列することで、温風吹出口より吹出す温風の温度を均一化することができ、小型で快適な暖房効果を備えた温風機を提供することができる。
【００６８】
なお、発熱素子２１０とダミー素子２２０とは同形状であることが製法上でも望ましいが、必ずしも同形状に限るものではない。
【００６９】
また図７において、発熱素子２１０とダミー素子２２０とは略直線状に非対称配列されているが、風量の少ない部分にダミー素子を配列すればよいという点では、非対称配列に限られるものではない。例えば、送風機１７０側である第一ヒータブロック２０１の左側から吹出される温風の温度は他の部分より低くなり、温風全体に温度のバラツキが発生する場合があるが、第一ヒータブロック２０１の左側は２個のダミー素子２２０を設置したことにより、送風機１７０側である第一ヒータブロック２０１の左側の温風の温度は他の部分の温度と近似のものとなり、吹出される温風全体の温度は均一化された状態となる。
【００７０】
また、ヒータユニットを前後に第一ヒータブロックと第二ヒータブロックに分割して配置することにより、ヒータブロックごとに通電を切替えることにより温風の温度を調整することが可能となるとともに、前後方向の風量のバラツキにも対応することが可能となる。
【００７１】
また、ヒータユニットは、ダミー素子を第一ヒータブロックのみに配置し、第二ヒータブロックには配置しない構成としたことにより、ダミー素子を配置した部分の極端な温度低下を抑制することが可能となり、より快適な暖房効果を提供することができる。
【００７２】
また、本実施の形態のヒータユニットを採用した場合、特に、ヒータユニットに送給される風量が左右方向でバラツキが発生する可能性の高い、送風機とヒータユニットを横方向に並べて配置しても、温風吹出口より吹出す温風の温度のバラツキを抑制する効果を得ることができ、特に、温風機の奥行寸法を短くすることが可能となり、小型で使い勝手の良い温風機を提供することができる。
【００７３】
なお、本実施の形態においては、ヒータユニットは第一ヒータブロックと第二ヒータブロックの２個に分割した構成としたが、これに限るものではなく1個または３個以上のヒータブロックに分割した構成としてもよい。
【００７４】
また、本実施の形態においては、発熱素子としてセラミック製のＰＴＣ素子を使用したがこれに限るものではなく、他の特性を備えた発熱素子を使用してもよい。ただし、他の素子を採用した場合、温度制御機能を別途備える必要性が生ずる場合がある。
【産業上の利用可能性】
【００７５】
以上のように、本発明にかかる温風機は、温風の温度を均一化することが可能となるので、温風を使用する他の家電機器および工業用機器等の用途にも適用できる。
【符号の説明】
【００７６】
１００  温風機
１１０  本体
１３０  吸気口
１４０  吹出口
１５０  風路
１５１  吸気風路（風路）
１５２  送風風路（風路）
１５３  温風風路（風路）
１５４  静電霧化風路（風路）
１７０  送風機
２００  ヒータユニット
２１０  ＰＴＣ素子（発熱素子）
２２０  ダミー素子
２３０  放熱フィン        
【図１】
2016109320.tif 000003
【図２】
2016109320.tif 000004
【図３】
2016109320.tif 000005
【図４】
2016109320.tif 000006
【図５】
2016109320.tif 000007
【図６】
2016109320.tif 000008
【図７】
2016109320.tif 000009
【図８】
2016109320.tif 000010